(57)【要約】【課題】  多くのデータや情報を送信することなしに、被制御機器に対する制御が有効／無効かをＧＵＩ表示によって機能別に理解することができる制御装置を提供する。【解決手段】  デジタルテレビジョン放送受信装置は、記録再生装置の種別を検出し、この検出手段により検出された種別に応じて、記録再生装置を制御するための操作ガイド情報をメモリから読出し、操作可能となる機能のみを有効とした操作ガイドを提示する。記録再生装置がｈｔｔｐプロトコルのRANGE GETに対応しているか否かにより種別を検出し、操作ボタンの有効、無効を切り換える。記録再生装置が、コンテンツの総時間の情報の提供に対応しているか否かにより種別を検出し、タイムバーの表示／非表示を切り換える。操作画像提示により提示された操作ガイドに対して行ったユーザの操作に応じた制御を、ネットワーク経由で記録再生装置へ送信する。【選択図】      図５
2006350826.tif 000002
【特許請求の範囲】
【請求項１】
ネットワークに接続された被制御対象装置に対して、前記ネットワーク経由で制御を行う制御装置において、
前記被制御対象装置の種別を検出する検出部と、
前記被制御対象装置を制御するための操作ガイド情報を記憶する記憶部と、
前記検出部により検出された種別に応じて、前記被制御対象装置を制御するための操作ガイドであり、前記記憶部から読み出した操作ガイド情報の内、操作可能となる機能のみを有効とした操作ガイドを提示する操作画像提示部と、
前記操作画像提示部により提示された操作ガイドに対して行ったユーザの操作に応じた制御を、前記ネットワーク経由で前記被制御対象装置へ送信する送信部とを備えたことを特徴とする制御装置。
【請求項２】
前記操作画像提示部は、前記検出部により検出された種別に応じて、制限されている機能に関してはトーンダウンまたは表示のない操作ガイドを表示することにより、操作可能となる機能のみを有効とした操作ガイドを提示することを特徴とする請求項１に記載の制御装置。
【請求項３】
前記操作画像提示部は、前記検出部により検出された種別に応じて、制限されている機能の組み合わせに従って操作ガイドのデザインを変えることを特徴とする請求項１に記載の制御装置。
【請求項４】
前記被制御対象装置の種別を検出する検出部は、ｈｔｔｐプロトコルのRANGE GETに対応しているか否かにより種別を検出することを特徴とする請求項１に記載の制御装置。
【請求項５】
前記被制御対象装置の種別を検出する検出部は、コンテンツの総時間の情報の提供に対応しているか否かにより種別を検出することを特徴とする請求項１に記載の制御装置。
【請求項６】
ネットワークに接続された被制御対象装置に対して、前記ネットワーク経由で制御を行う制御方法において、
検出部により前記被制御対象装置の種別を検出し、
記憶部に前記被制御対象装置を制御するための操作ガイド情報を記憶し、
操作画像提示部により、前記検出部により検出された種別に応じて、前記被制御対象装置を制御するための操作ガイドであり、前記記憶部から読み出した操作ガイド情報の内、操作可能となる機能のみを有効とした操作ガイドを提示し、
送信部により、前記操作画像提示部により提示された操作ガイドに対して行ったユーザの操作に応じた制御を、前記ネットワーク経由で前記被制御対象装置へ送信することを特徴とする制御方法。
【発明の詳細な説明】
【技術分野】
【０００１】
この発明は、ネットワークに接続された機器を制御する制御装置および制御方法に関する。
【背景技術】
【０００２】
従来、マルチメディア機器をＬＡＮ上に接続するだけで、自動的にマルチメディア機器のコントロールパネル及び聞き状態をコントローラ画面上に表示し、電源のＯＮ／ＯＦＦ、本体の各種制御、入出力の切り替え等を行うことができる技術が知られている（例えば、特許文献１参照）。
【特許文献１】特開平０７−０４４４７７号公報
【発明の開示】
【発明が解決しようとする課題】
【０００３】
従来の制御装置においては、リモート制御される機器はリモート制御する機器に対して、リモート制御される機器の操作に用いるためのＧＵＩデータと、リモート制御される機器の特徴を調べるための項目を記した特性情報を送る。そしてリモート制御する機器は、ＧＵＩデータおよび特性情報を用いてリモート制御される機器を遠隔制御する。このように従来の制御装置においては、リモート制御される機器はリモート制御する機器に対して、多くのデータや情報を送信しなければならないという問題があった。
【０００４】
この発明は、多くのデータや情報を送信することなしに、被制御機器に対する制御が有効／無効かをＧＵＩ表示によって機能別に理解することができる制御装置を提供することを目的とする。
【課題を解決するための手段】
【０００５】
上記の目的を達成するために、この発明においては、ネットワークに接続された被制御対象装置に対して、前記ネットワーク経由で制御を行う制御装置において、前記被制御対象装置の種別を検出する検出部と、前記被制御対象装置を制御するための操作ガイド情報を記憶する記憶部と、前記検出部により検出された種別に応じて、前記被制御対象装置を制御するための操作ガイドであり、前記記憶部から読み出した操作ガイド情報の内、操作可能となる機能のみを有効とした操作ガイドを提示する操作画像提示部と、前記操作画像提示部により提示された操作ガイドに対して行ったユーザの操作に応じた制御を、前記ネットワーク経由で前記被制御対象装置へ送信する送信部とを備えたことを特徴とする制御装置を提供する。
【０００６】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００７】
この発明によれば、多くのデータや情報を送信することなしに、被制御機器に対する制御が有効／無効かをＧＵＩ表示によって機能別に理解することができるので、ユーザが直感的に有効な機能についてのみ操作を実行することができる。
【発明を実施するための最良の形態】
【０００８】
以下、この発明の実施形態について図面を参照して詳細に説明する。
図１は、この発明を適用したデジタルテレビジョン放送受信装置１１１の外観と、このデジタルテレビジョン放送受信装置１１１を中心として構成されるネットワークシステムの一例を概略的に示している。
【０００９】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１０】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１１】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１２】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１３】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１４】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１５】
また、第２のＬＡＮ端子１２２は、イーサネット（登録商標）を用いた一般的なＬＡＮ対応ポートとして使用されるもので、例えばハブ１２６を介して、記録再生装置１２７、記録再生装置１２８、ＨＤＤ内蔵のＤＶＤ（Digital Versatile Disk）レコーダ１２９等の機器を接続し、これらの機器と映像・音声信号や、制御情報の伝送を行なうために使用される。
【００１６】
なお、記録再生装置１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１７】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１８】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００１９】
なお、ＰＣ１３３についてはコンテンツのサーバー機器として動作するための機能を持ち、さらにコンテンツのアクセスに必要なＵＲＩ情報を提供するサービスを備えたＵＰｎＰ対応機器として構成される。
【００２０】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２１】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２２】
図２は、上記したデジタルテレビジョン放送受信装置１１１の主要な信号処理系を示している。すなわち、ＢＳ／ＣＳデジタル放送受信用のアンテナ２４３で受信した衛星デジタルテレビジョン放送信号は、入力端子２４４を介して衛星デジタル放送用のチューナ２４５に供給されることにより、所望のチャンネルの放送信号が選局される。
【００２３】
そして、このチューナ２４５で選局された放送信号は、ＰＳＫ（Phase Shift Keying）復調器２４６に供給されて、デジタルの映像信号及び音声信号に復調された後、信号処理部２４７に出力される。
【００２４】
また、地上波放送受信用のアンテナ２４８で受信した地上デジタルテレビジョン放送信号は、入力端子２４９を介して地上デジタル放送用のチューナ２５０に供給されることにより、所望のチャンネルの放送信号が選局される。
【００２５】
そして、このチューナ２５０で選局された放送信号は、例えば日本ではＯＦＤＭ（Orthogonal Frequency Division Multiplexing）復調器２５１に供給されて、デジタルの映像信号及び音声信号に復調された後、上記信号処理部２４７に出力される。
【００２６】
また、上記地上波放送受信用のアンテナ２４８で受信した地上アナログテレビジョン放送信号は、入力端子２４９を介して地上アナログ放送用のチューナ２５２に供給されることにより、所望のチャンネルの放送信号が選局される。そして、このチューナ２５２で選局された放送信号は、アナログ復調器２５３に供給されてアナログの映像信号及び音声信号に復調された後、上記信号処理部２４７に出力される。
【００２７】
ここで、上記信号処理部２４７は、ＰＳＫ復調器２４６及びＯＦＤＭ復調器２５１からそれぞれ供給されたデジタルの映像信号及び音声信号に対して、選択的に所定のデジタル信号処理を施し、グラフィック処理部２５４及び音声処理部２５５に出力している。
【００２８】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００２９】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３０】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３１】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３２】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３３】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を前記受光部１１８経由で受信し、その操作内容が反映されるように各部をそれぞれ制御している。
【００３４】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３５】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報を伝送することができる。
【００３６】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報を伝送することができる。
【００３７】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報を伝送することができる。この場合、制御部２６１は、ＤＨＣＰ（Dynamic Host Configuration Protocol）サーバー機能を有し、第１のＬＡＮ端子１２１に接続されたＬＡＮ対応のＨＤＤ１２５にＩＰ（Internet Protocol）アドレスを割り当てて制御している。
【００３８】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報を伝送することができる。
【００３９】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報を伝送することができる。
【００４０】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報を伝送することができる。
【００４１】
ところで、この第１の実施形態では、ＨＤＤ１２５に初期登録時のＨＤＤ１２５、記録再生装置１２７、記録再生装置１２８、ＤＶＤレコーダ１２９それぞれに割り当てられたストレージＩＤ（ＩＰアドレス、機器名を含む）を記述した登録ファイルを記憶保持している。
【００４２】
また、不揮発性メモリ２６１ｃに、ＨＤＤ１２５、記録再生装置１２７、記録再生装置１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００４３】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いて記録再生装置１２８を発見する。
【００４４】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、記録再生装置１２８をコントロールし、記録再生装置１２８内のＨＤＤ等に蓄積されているコンテンツをアクセスするために必要なＵＲＩ情報を記録再生装置１２８から取得する。
【００４５】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００４６】
図３は、図１の一部の構成を取り出した図である。
図３において、デジタルテレビジョン放送受信装置１１１、記録再生装置１２７、記録再生装置１２８はそれぞれ、ローカルエリアネットワークに接続されたネットワーク装置である。
【００４７】
デジタルテレビジョン放送受信装置１１１はローカルエリアネットワークに接続された他のネットワーク装置である記録再生装置１２７や記録再生装置１２８から伝送されるＭＰＥＧ２トランスポートストリームやＭＰＥＧ２プログラムストリームをローカルエリアネットワーク経由で受信し、この受信したデータをデコードした映像および音声を表示する。このデジタルテレビジョン放送受信装置１１１は、デジタル放送テレビジョン受信機の他、デジタル放送チューナ等であってもよい。
【００４８】
記録再生装置１２７および記録再生装置１２８は、デジタルテレビジョン放送受信装置１１１から認識されるローカルエリアネットワーク上に存在し、装置間の通信プロトコルに従ってデジタルテレビジョン放送受信装置１１１からローカルエリアネットワーク経由で制御可能に構成されている。
【００４９】
また、記録再生装置１２７および記録再生装置１２８は、ローカルエリアネットワーク上に接続された他のネットワーク装置からローカルエリアネットワーク経由で入力されたＭＰＥＧ２トランスポートストリームやＭＰＥＧ２プログラムストリームを、自身に備えられた記録用ＤＶＤや内蔵ＨＤＤ等に記録することが可能に構成されている。
【００５０】
また、記録再生装置１２７および記録再生装置１２８は、自身に備えられた記録用ＤＶＤや内蔵ＨＤＤ等に記録されているＭＰＥＧ２トランスポートストリームやＭＰＥＧ２プログラムストリームを、ローカルエリアネットワーク上に接続された他のネットワーク装置へローカルエリアネットワーク経由で伝送することが可能に構成されている。
【００５１】
これら記録再生装置１２７および記録再生装置１２８の具体的な製品としては、例えばＤＶＤ録画再生機器、ＨＤＤ録画再生機器等がある。
テレビジョン放送受信装置１１１は、記録再生装置１２７および記録再生装置１２８と有線または無線のローカルエリアネットワークで接続されており、装置間の通信プロトコルに従ってローカルエリアネットワーク経由で記録再生装置１２７および記録再生装置１２８を制御する。装置間の通信プロトコル技術としては、ＤＬＮＡ（Digital Living Network Alliance）が知られている。
【００５２】
テレビジョン放送受信装置１１１は、ローカルエリアネットワーク上に接続された他のネットワーク装置を制御する手段として、テレビジョン放送受信装置１１１の映像表示器１１４上に図４に示すようなＧＵＩを提示し、ユーザによるリモコン１１７等を利用した遠隔操作を可能としている。
【００５３】
図４は、テレビジョン放送受信装置１１１の映像表示器１１４上に表示されるＧＵＩ画面を示し、この例は記録再生装置１２７または記録再生装置１２８を操作するためのＧＵＩ画面である。
【００５４】
図４ではＧＵＩとして、再生ボタン、録画ボタン、停止ボタン、一時停止ボタン、早送りボタン、早戻しボタン、ワンタッチリプレイボタン、ワンタッチスキップボタン、ダイジェスト再生ボタンが配置されている。また、更に、再生および録画動作中の経過情報を提示するためのカウンタ４０１やタイムバー４０２等もＧＵＩで提示されている。これらＧＵＩによる提示は、図２のＯＳＤ信号生成部２５７で生成され、デコードされた映像信号上にグラフィック処理部２５４により合成される。また、これらＧＵＩを生成するためのデータである、再生ボタン、録画ボタン、停止ボタン、一時停止ボタン、早送りボタン、早戻しボタン、ワンタッチリプレイボタン、ワンタッチスキップボタン、ダイジェスト再生ボタン等の操作ボタンについては、被制御機器から提供されるのではなく、予めテレビジョン放送受信装置１１１のメモリ等の記録媒体に記録されているものを用いる。
【００５５】
次に、図５のフローチャートを用いて本発明の制御装置であるテレビジョン放送受信装置１１１の動作について説明する。
ユーザがテレビジョン放送受信装置１１１を用いて、ローカルエリアネットワーク上から検索された記録再生装置１２７に対して制御を行うときのテレビジョン放送受信装置１１１の動作について説明する。
【００５６】
ステップＳ５０１：テレビジョン放送受信装置１１１は、通信プロトコルを介して記録再生装置１２７のサーバー種別番号を取得する。例えば、テレビジョン放送受信装置１１１は、通信プロトコルを介して、ｈｔｔｐプロトコルのRANGE GETに対応しているか否かを確認する。再生、停止、以外の特殊再生を可能とするには、ｈｔｔｐプロトコルのRANGE GETに対応している必要がある。これは特殊再生の飛ばし読みをするには、ｈｔｔｐプロトコルのRANGE GETに対応していなければ、開始位置および終了位置として任意のバイトもしくは任意の時間を指定してデータを取得することができないからである。
【００５７】
このステップＳ５０１では、もし、記録再生装置１２７がｈｔｔｐプロトコルのRANGE GETに対応しているならば、サーバー種別番号は「１」または「２」と判定し、対応していないならばサーバー種別番号は「３」または「４」と判定する。
【００５８】
また、タイムバーが有効となるには、コンテンツの総時間が取得できる必要がある。もし、記録再生装置１２７がコンテンツの総時間の情報の提供に対応しているならば、サーバー種別番号は「１」または「３」と判定し、対応していないならばサーバー種別番号は「２」または「４」と判定する。
【００５９】
ステップＳ５０２：テレビジョン放送受信装置１１１は、他のネットワーク装置から操作を受ける機能が制限されていないかを判別するために、ステップＳ５０１で取得したサーバー種別番号を判別する。この判別した結果、テレビジョン放送受信装置１１１は、サーバー種別番号＝１のときステップＳ５０３へ、サーバー種別番号＝２のときステップＳ５０４へ、サーバー種別番号＝３のときステップＳ５０５へ、サーバー種別番号＝４のときステップＳ５０６へ進む。
【００６０】
なお、テレビジョン放送受信装置１１１は、サーバー種別番号からサーバーの種別を判別し、この判別した種別によってどの機能が有効であるかを判別している。この実施形態の例としては、サーバー種別番号が「１」のときには「全機能有効」および「タイムバー機能有効」、サーバー種別番号が「２」のときには「全機能有効」および「タイムバー機能無効」、サーバー種別番号が「３」のときには「再生／停止以外の機能は無効」および「タイムバー機能有効」、サーバー種別番号が「４」のときは「再生／停止以外の機能は無効」および「タイムバー機能無効」と判別するものとして説明をする。
【００６１】
ステップＳ５０３：テレビジョン放送受信装置１１１は、サーバー種別番号が「１」なので、「全機能有効」および「タイムバー機能有効」であると判別する。
ステップＳ５０４：テレビジョン放送受信装置１１１は、サーバー種別番号が「２」なので、「全機能有効」および「タイムバー機能無効」であると判別する。
ステップＳ５０５：テレビジョン放送受信装置１１１は、サーバー種別番号が「３」なので、「再生／停止以外の機能は無効」および「タイムバー機能有効」であると判別する。
【００６２】
ステップＳ５０６：テレビジョン放送受信装置１１１は、サーバー種別番号が「４」なので、「再生／停止以外の機能は無効」および「タイムバー機能無効」であると判別する。
【００６３】
ステップＳ５０７：テレビジョン放送受信装置１１１は、ステップＳ５０３〜ステップＳ５０６の判別結果に応じて、タイムバー表示機能有効と判定されていた場合にはステップＳ５０８へ進んでタイムバーを表示し、タイムバー表示機能無効と判定されていた場合にはステップＳ５０９へ進みタイムバーを表示しない。
【００６４】
ステップＳ５０８：タイムバーを表示する。
ステップＳ５０９：テレビジョン放送受信装置１１１は、ステップＳ５０３〜ステップＳ５０６の判別結果に応じて、例えば「全機能有効」というように操作不能な機能がない場合にはステップＳ５１０へ進み、「再生／停止以外の機能は無効」というように操作不能な機能が有る場合にはステップＳ５１１へ進む。
【００６５】
ステップＳ５１０：全ての操作ボタンを機能させて表示する。
ステップＳ５１１：無効な機能の操作ボタンをトーンダウン表示させ機能させず（または表示せず）、無効でない他の操作ボタンを表示する。このトーンダウン表示されているボタン等については、ユーザがリモコン操作で操作ガイドを操作する際に選択決定キー押し下げによる動作を無効とする。
【００６６】
即ち、テレビジョン放送受信装置１１１は、サーバー種別番号が「１」のときには、最終的に図６（ａ）に示す通り映像表示器１１４上にＧＵＩとして、操作ガイドの全ボタンおよびタイムバー４０２の描画を行う。
【００６７】
また、テレビジョン放送受信装置１１１は、サーバー種別番号が「２」のときには、最終的に図６（ｂ）に示す通り映像表示器１１４上にＧＵＩとして、操作ガイドの全ボタンの描画を行うが、タイムバー４０２はトーンダウン表示させて機能させない（またはタイムバー４０２を表示しない）。
【００６８】
また、テレビジョン放送受信装置１１１は、サーバー種別番号が「３」のときには、最終的に図６（ｃ）に示す通り映像表示器１１４上にＧＵＩとして、操作ガイドの再生ボタンおよび停止ボタンと、タイムバー４０２の描画を行う。このとき図６（ｃ）に示す通り再生ボタンおよび停止ボタン以外のボタンについてはトーンダウン表示させて機能させない（またはボタンをトーンダウン表示するのではなく、ボタンを表示しない）。
【００６９】
また、テレビジョン放送受信装置１１１は、サーバー種別番号が「４」のときには、最終的に図６（ｄ）に示す通り映像表示器１１４上にＧＵＩとして、操作ガイドの再生ボタンおよび停止ボタンの描画を行い、タイムバー４０２はトーンダウン表示させて機能させない（またはタイムバー４０２を表示しない）。このとき図６（ｄ）に示す通り再生ボタンおよび停止ボタンについてはトーンダウン表示させて機能させない（またはボタンをトーンダウン表示するのではなく、ボタンを表示しない）。
【００７０】
サーバー種別番号４は再生／停止以外の機能は無効なので、操作ガイド中の再生／停止以外のボタンについてはトーンダウン描画を行う。
ユーザがリモコン操作で操作ガイドを操作する際、トーンダウン描画された無効機能については選択決定キー押し下げによる動作を無効とする。
上記実施形態の変形例としては、無効機能のボタン等をトーンダウン表示するのではなく、制限されている機能（無効機能）の組み合わせに従って操作ガイドのデザインを変えることで、操作可能機能が直感的に理解できるようにしてもよい。
【００７１】
本実施形態は、典型的には、ソフトウェアで制御されるコンピュータにより実現される。この場合のソフトウェアは、プログラムやデータを含み、コンピュータのハードウェアを物理的に活用することで本発明の作用効果を実現するものであり、従来技術を適用可能な部分には好適な従来技術が適用される。さらに、本発明を実現するハードウェアやソフトウェアの具体的な種類や構成、ソフトウェアで処理する範囲などは自由に変更可能である。従って、以下の説明では、本発明を構成する機能ごとにブロック化して図示した仮想的機能ブロック図を用いる。なお、コンピュータを動作させて本発明を実現するためのプログラムも、本発明の一態様である。
【図面の簡単な説明】
【００７２】
【図１】本発明の制御装置を適用したデジタルテレビジョン放送受信装置の外観と、このデジタルテレビジョン放送受信装置を中心として構成されるネットワークシステムの一例を概略的に示す図。
【図２】デジタルテレビジョン放送受信装置１１１の主要な信号処理系を示す図。
【図３】図１の一部の構成を取り出した図。
【図４】映像表示器１１４上に表示されるＧＵＩの例を示す図。
【図５】本発明の制御装置であるテレビジョン放送受信装置１１１の動作を説明するためのフローチャート。
【図６】映像表示器１１４上に表示されるＧＵＩの例を示す図。
【符号の説明】
【００７３】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード（ＩＣカード）、１２１…第１のＬＡＮ（Local Area Network）端子、１２２…第２のＬＡＮ端子、１２３…ＵＳＢ（Universal Serial Bus）端子、１２４…ｉ．ＬＩＮＫ端子、１２５，１３９…ＨＤＤ、１２６…ハブ、１２７…記録再生装置、１２８…記録再生装置、１２９…ＨＤＤ内蔵のＤＶＤ（Digital Versatile Disk）レコーダ、１３０…アナログ伝送路、１３１…ブロードバンドルータ、１３２…ネットワーク、１３３…ＰＣ、１３４，１３６…携帯電話、１３５…ハブ、１３７…デジタルカメラ、１３８…カードリーダ／ライタ、１４０…キーボード、１４１…ＡＶ−ＨＤＤ、１４２…Ｄ（Digital）−ＶＨＳ（Video Home System）、２４３，２４８…アンテナ、２４４…入力端子、２４５…衛星デジタル放送用のチューナ、２４６…ＰＳＫ（Phase Shift Keying）復調器、２４７…信号処理部、２４９…入力端子、２５０，２５２…チューナ、２５１…ＯＦＤＭ（Orthogonal Frequency Division Multiplexing）復調器、２５３…アナログ復調器、２５４…グラフィック処理部、２５５…音声処理部、２５６ａ，２５６ｂ，２５６ｃ，２５６ｄ…入力端子、２５７…ＯＳＤ信号生成部、２５８…映像処理部、２５９，２６０…出力端子、２６１…制御部、２６１ａ…ＲＯＭ（Read Only Memory）、２６１ｂ…ＲＡＭ（Random Access Memory）、２６１ｃ…不揮発性メモリ、２６１ｄ…サーバー機器発見機能、２６１ｅ…コンテンツ情報取得機能、２６１ｆ…コンテンツアクセス制御機能、２６５…カードＩ／Ｆ（Interface）、２６６，２６８…カードホルダ、２６７…カードＩ／Ｆ、２６９，２７０…通信Ｉ／Ｆ、２７１…ＵＳＢ  Ｉ／Ｆ、２７２…ｉ．ＬＩＮＫ  Ｉ／Ｆ。
【図１】
2006350826.tif 000003
【図２】
2006350826.tif 000004
【図３】
2006350826.tif 000005
【図４】
2006350826.tif 000006
【図５】
2006350826.tif 000007
【図６】
2006350826.tif 000008